Podtech/llm-jp-corpus-v4-ja_patent huggingface dataset:
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
プロセッサが実施する方法であって、
２以上のユーザインターフェースコントロールを電子デバイスの光学的反射面に表示するステップと、
前記電子デバイスの前記光学的反射面において光学的に映し出された光学的反射像と、前記２以上のユーザインターフェースコントロールのうちの１つのユーザインターフェースコントロールが表示される前記光学的反射面における物理的位置との間の位置合わせを検出するステップと、
前記位置合わせが、前記１つのユーザインターフェースコントロールが表示される前記物理的位置において維持されている間に、選択アクションを検出するステップと、
検出された前記位置合わせ及び検出された前記選択アクションに応答して前記１つのユーザインターフェースコントロールをアクティブにするステップと
を含む方法。
【請求項２】
請求項１に記載のプロセッサが実施する方法であって、前記選択アクションは、ユーザの動きである、方法。
【請求項３】
請求項１に記載のプロセッサが実施する方法であって、前記選択アクションは、前記電子デバイスのマイクロフォンによって検出される、方法。
【請求項４】
請求項１に記載のプロセッサが実施する方法であって、前記光学的反射像は、ユーザの映し出された一部である、方法。
【請求項５】
請求項１に記載のプロセッサが実施する方法であって、前記光学的反射像は、ユーザの顔の特徴を含む、方法。
【請求項６】
請求項１に記載のプロセッサが実施する方法であって、前記電子デバイスはモバイルデバイスである、方法。
【請求項７】
請求項１に記載のプロセッサが実施する方法であって、前記位置合わせは、ユーザの視線に沿った方向で実現される、方法。
【請求項８】
請求項１に記載のプロセッサが実施する方法であって、ユーザの視点が前記電子デバイスのセンサによって決定される、方法。
【請求項９】
電子システムであって、
２以上のユーザインターフェースコントロールを表示するように構成された光学的反射面と、
前記光学的反射面において光学的に映し出された光学的反射像と、前記２以上のユーザインターフェースコントロールのうちの１つのユーザインターフェースコントロールが表示される前記光学的反射面における物理的位置との間の位置合わせを検出するように構成された位置合わせ検出器と、
前記位置合わせが、前記１つのユーザインターフェースコントロールが表示される前記物理的位置において維持されている間に、選択アクションを検出するように構成された選択入力検出器と、
検出された前記位置合わせ及び検出された前記選択アクションに応答して前記１つのユーザインターフェースコントロールをアクティブにするように構成されたユーザインターフェースコントローラと
を備えた電子システム。
【請求項１０】
請求項９に記載の電子システムであって、前記選択アクションは、ユーザの動きである、電子システム。
【請求項１１】
請求項９に記載の電子システムであって、前記選択アクションは、前記電子システムのマイクロフォンによって検出される、電子システム。
【請求項１２】
請求項９に記載の電子システムであって、前記光学的反射像は、ユーザの映し出された一部である、電子システム。
【請求項１３】
請求項９に記載の電子システムであって、前記光学的反射像は、ユーザの顔の特徴を含む、電子システム。
【請求項１４】
請求項９に記載の電子システムであって、前記電子システムはモバイルデバイスである、電子システム。
【請求項１５】
請求項９に記載の電子システムであって、前記位置合わせは、ユーザの視線に沿った方向で実現される、電子システム。
【請求項１６】
請求項９に記載の電子システムであって、ユーザの視点が前記電子システムのセンサによって決定される、電子システム。
【請求項１７】
プロセッサにコンピュータプロセスを実行させるコンピュータプログラムであって、前記コンピュータプロセスは、
２以上のユーザインターフェースコントロールを電子デバイスの光学的反射面に表示するステップと、
前記電子デバイスの前記光学的反射面において光学的に映し出された光学的反射像と、前記２以上のユーザインターフェースコントロールのうちの１つのユーザインターフェースコントロールが表示される前記光学的反射面における物理的位置との間の位置合わせを検出するステップと、
前記位置合わせが、前記１つのユーザインターフェースコントロールが表示される前記物理的位置において維持されている間に、選択アクションを検出するステップと、
検出された前記位置合わせ及び検出された前記選択アクションに応答して前記１つのユーザインターフェースコントロールをアクティブにするステップと
を含む、コンピュータプログラム。
【請求項１８】
請求項１７に記載のコンピュータプログラムであって、前記光学的反射面において光学的に映し出された前記光学的反射像と、前記１つのユーザインターフェースコントロールが表示される前記物理的位置とは、ユーザの視線に沿って位置合わせされる、コンピュータプログラム。
【請求項１９】
請求項１７又は１８に記載のコンピュータプログラムを記憶した１以上のコンピュータ可読記憶媒体。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
個人を認証する方法であって、
指紋照会テンプレートと第1の指紋登録テンプレートとを比較することによって第1のマッチスコアを作成するステップであって、前記第1の指紋登録テンプレートが、前記個人に関連し、前記個人の登録指の摩擦隆線面の一部を走査することによって作成されたものであり、前記指紋照会テンプレートが、指の摩擦隆線面の一部を走査することによって前に作成されたものである、ステップと、
前記指紋照会テンプレートと第2の指紋登録テンプレートとを比較することによって第2のマッチスコアを作成するステップであって、前記第2の指紋登録テンプレートもまた前記個人に関連し、前記個人の前記登録指の前記摩擦隆線面の別の一部を走査することによって作成されたものである、ステップと、
合成マッチスコア合計を作成するために複数のマッチスコアを合計するステップであって、
前記第1のマッチスコアおよび前記第2のマッチスコアが、前記複数のマッチスコアのうちのマッチスコアであり、
各マッチスコアが、前記指紋照会テンプレートを、前記個人に関連する複数の指紋登録テンプレートのうちの異なる指紋登録テンプレートと比較することによって作成されたものであり、
前記第1の指紋登録テンプレートおよび前記第2の指紋登録テンプレートが、前記複数の指紋登録テンプレートに含まれ、
前記複数のマッチスコアのうちの前記少なくとも1つのマッチスコアが、前記複数のマッチスコアのうちのその他のマッチスコアに加算される前に、重み付け係数を掛けられて、前記合成マッチスコア合計が作成される、ステップと、
前記合成マッチスコア合計を許容範囲と比較することによって前記個人を認証するステップと、
を含み、
各重み付け係数が、前記重み付け係数を掛けられることになる前記マッチスコアが作成された前記指紋登録テンプレートに関連する品質値に基づき、
前記品質値が、前記品質値に関連する前記指紋登録テンプレートの画像コントラストと、前記品質値に関連する前記指紋登録テンプレートの信号対雑音比と、前記指紋照会テンプレートがどれくらい前記品質値に関連する前記指紋登録テンプレートと重なるかと、からなるグループから選択された1つまたは複数のアイテムに基づく、
方法。
【請求項２】
前記指紋照会テンプレートが、エリアアレイセンサによって実施された指の摩擦隆線面の一部の走査を表すデータに基づく、請求項1に記載の方法。
【請求項３】
前記指紋照会テンプレートが、超音波センサによって実施された指の摩擦隆線面の一部の走査を表すデータに基づく、請求項1に記載の方法。
【請求項４】
前記複数のマッチスコアのうちの各マッチスコアが、前記複数のマッチスコアのうちのその他のマッチスコアに加算される前に、対応する重み付け係数を掛けられて、前記合成マッチスコア合計が作成される、請求項1に記載の方法。
【請求項５】
各指紋登録テンプレートに関連する前記品質値が、前記品質値に関連する前記指紋登録テンプレートの前記画像コントラストに基づく、請求項1に記載の方法。
【請求項６】
各指紋登録テンプレートに関連する前記品質値が、前記品質値に関連する前記指紋登録テンプレートの前記信号対雑音比に基づく、請求項1に記載の方法。
【請求項７】
各指紋登録テンプレートに関連する前記品質値が、前記指紋照会テンプレートがどれくらい前記品質値に関連する前記指紋登録テンプレートと重なるかに基づく、請求項1に記載の方法。
【請求項８】
前記認証に基づいて、前記個人がモバイルデバイスにアクセスするのを可能にするステップをさらに含む、請求項1に記載の方法。
【請求項９】
前記認証に基づいて、前記個人がコンピュータにアクセスするのを可能にするステップをさらに含む、請求項1に記載の方法。
【請求項１０】
個人を認証するためのシステムであって、
第1の指紋登録テンプレートおよび第2の指紋登録テンプレートを取得するための手段であって、前記第1と第2の指紋登録テンプレートが両方とも前記個人に関連し、前記第1の指紋登録テンプレートが、前記個人の登録指の摩擦隆線面の一部を走査することによって作成されたものであり、前記第2の指紋登録テンプレートが、前記個人の前記登録指の前記摩擦隆線面の別の一部を走査することによって作成されたものである、手段と、
指の摩擦隆線面の一部を走査することによって作成された指紋照会テンプレートを取得するための手段と、
前記指紋照会テンプレートを前記第1の指紋登録テンプレートと比較することによって第1のマッチスコアを作成し、前記指紋照会テンプレートを前記第2の指紋登録テンプレートと比較することによって第2のマッチスコアを作成するための手段と、
合成マッチスコア合計を作成するために複数のマッチスコアを合計するための手段であって、
前記第1のマッチスコアおよび前記第2のマッチスコアが、前記複数のマッチスコアのうちのマッチスコアであり、
各マッチスコアが、前記指紋照会テンプレートを、前記個人に関連する複数の指紋登録テンプレートのうちの異なる指紋登録テンプレートと比較することによって作成され、
前記第1の指紋登録テンプレートおよび前記第2の指紋登録テンプレートが、前記複数の指紋登録テンプレートに含まれ、
前記複数のマッチスコアのうちの少なくとも1つのマッチスコアが、前記複数のマッチスコアのうちのその他のマッチスコアに加算される前に、重み付け係数を掛けられて、前記合成マッチスコア合計が作成される、手段と、
前記合成マッチスコア合計を許容範囲と比較することによって前記個人を認証するための手段と、
を備え、
各重み付け係数が、前記重み付け係数を掛けられることになる前記マッチスコアが作成された前記指紋登録テンプレートに関連する品質値に基づき、
前記品質値が、前記品質値に関連する前記指紋登録テンプレートの画像コントラストと、前記品質値に関連する前記指紋登録テンプレートの信号対雑音比と、前記指紋照会テンプレートがどれくらい前記品質値に関連する前記指紋登録テンプレートと重なるかと、からなるグループから選択された1つまたは複数のアイテムに基づく、
システム。
【請求項１１】
前記指紋照会テンプレートを取得するための手段がエリアアレイセンサである、請求項10に記載のシステム。
【請求項１２】
前記指紋照会テンプレートを取得するための手段が超音波センサである、請求項10に記載のシステム。
【請求項１３】
前記複数のマッチスコアのうちの各マッチスコアが、前記複数のマッチスコアのうちのその他のマッチスコアに加算される前に、対応する重み付け係数を掛けられて、前記合成マッチスコア合計が作成される、請求項10に記載のシステム。
【請求項１４】
請求項１〜９のいずれか一項に記載の方法をコンピュータに行わせるための命令を記憶した、非一時的なコンピュータ可読ストレージ媒体。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
自動車（２）の運転者の覚醒度の欠如を検知するシステム（１）であって、前記運転者（４）の前記覚醒度（ｖｉｇｉｌ）が覚醒度閾値よりも上であるかどうかを評価することが可能な第１のモニタリングユニット（１１）を備え、
車両の軌道及び／または周囲の状況にリンクされた少なくとも１つの危険のタイプ（ｔｙｐｅ  ｄａｎｇｅｒ）を識別するように構成された少なくとも１つの第２のモニタリングユニット（１２）を備え、個別の少なくとも２つのスピーカー（５ａ、５ｂ、５ｃ、５ｄ）をさらに備え、
前記運転者の座席（３）に対して移動可能な仮想音源から生じる音声をシミュレートするように、前記少なくとも２つのスピーカー（５ａ、５ｂ、５ｃ、５ｄ）を制御することが可能なサウンドステージ生成器（１４）さらに備えることを特徴とし、前記サウンドステージ生成器は、検出された前記覚醒度（ｖｉｇｉｌ）のレベルが前記閾値を下回り、所与のタイプの危険（ｄａｎｇｅｒ）が識別されたときに、移動式仮想音源でサウンドステージをシミュレートするように構成された、検知するシステム。
【請求項２】
少なくとも２つの異なるサウンドステージと２つの異なる危険のタイプとを関連付けるように構成された音声選択ユニット（１３）をさらに備え、前記サウンドステージ生成器（１４）は前記選択ユニットによって選択された前記仮想音源をシミュレートするように構成された、請求項１に記載の検知するシステム。
【請求項３】
前記危険が、前記車両（２）が向かって移動している障害物（１７）である場合、選択される音声パターンは、実質的に前記障害物（１７）から前記車両に対して接近してくる仮想音源をシミュレートするものである、請求項２に記載の検知するシステム。
【請求項４】
前記サウンドステージ生成器（１４）は、運転席（３）の右側にある少なくとも１つのスピーカー及び左側にある少なくとも１つのスピーカーを含む個別の少なくとも３つのスピーカー（５ａ、５ｂ、５ｃ、５ｄ）に接続され、前記少なくとも３つのスピーカーのうちの少なくとも２つは、前記車両の前方方向（Ｘ）にさらに間隔を空けて設置されている、請求項３に記載の検知するシステム。
【請求項５】
前記第２のモニタリングユニット（１２）は、閾値を上回る軌道逸脱を検知し軌道逸脱の兆候を検知するように構成され、前記音声選択ユニット（１３）は、前記閾値を上回る軌道逸脱を、前記軌道逸脱の兆候に応じて仮想音源が前記車両（２）の右側または左側に位置するサウンドステージと関連付けるように構成された、請求項２に記載の検知するシステム。
【請求項６】
前記軌道逸脱に関連付けられた前記サウンドステージは、前記車両に接近してくる仮想音源をシミュレートする音を含む、請求項５に記載の検知するシステム。
【請求項７】
前記サウンドステージが、前記車両に接近してくる仮想音源をシミュレートする音に続いて、前記車両が障害物に衝突する音を想起させるような音を含むことを特徴とする、請求項６に記載の検知するシステム。
【請求項８】
前記第２のモニタリングユニット（１２）は、装備された前記車両（２）の反対方向から来る別の車両を検知するように構成され、前記音声選択ユニット（１３）は、装備された前記車両（２）の前方から接近してくる仮想音源をシミュレートするサウンドステージを、該別の車両の接近と関連付けるように構成された、請求項２または３に記載の検知するシステム。
【請求項９】
前記第２のモニタリングユニット（１２）は、前記反対方向の前記車両が、前記システムが装備された前記車両と同一の車線に位置しているかいないかに応じて異なる危険を識別するか、または、前記車両が異なる車線に位置している場合には危険を識別しないように構成された、請求項８に記載の検知するシステム。
【請求項１０】
前記選択ユニット（１３）は、前記システムが装備された前記車両と同一車線の別の車両の接近と、２つの車両の衝突を想起させるような音を含むサウンドステージを関連付けるように構成された、請求項９に記載の検知するシステム。
【請求項１１】
仮想音源から生じる音声がステレオ音である、請求項１から１０のいずれか一項に記載の検知するシステム。
【請求項１２】
前記第１のモニタリングユニット（１１）に接続された、少なくとも１つの前記運転者の姿勢または態度センサ（６、７）を備える、請求項１から１１のいずれか一項に記載の検知するシステム。
【請求項１３】
前記第１のモニタリングユニット（１１）に接続された、前記運転者の操縦動作を定量化できる少なくとも１つのセンサ（８）を備える、請求項１から１２のいずれか一項に記載の検知するシステム。
【請求項１４】
前記第１のモニタリングユニット（１１）に接続された、望ましい進路群に対する前記車両の進路の適合度を定量化できる少なくとも１つのセンサ（９、１０）を備える、請求項１から１３のいずれか一項に記載の検知するシステム。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
対象において結核菌(M.tuberculosis)群感染を検出するための方法であって、M.tuberculosisタンパク質に由来する断片のプールに対する免疫応答をインビトロで検出する工程を含み、該プールが、(a)Rv0840c(SEQ ID NO:6)に由来する2つ以上の断片;(b)TBFG_13463(SEQ ID NO:1)に由来する2つ以上の断片;(c) Mtub2_17866(SEQ ID NO:2)に由来する2つ以上の断片;(d)Rv2654c(SEQ ID NO:3)に由来する2つ以上の断片;(e)Rv3845(SEQ ID NO:4)に由来する2つ以上の断片;(f)Rv1495(SEQ ID NO:5)に由来する2つ以上の断片;または(g)Rv1677(SEQ ID NO:7)に由来する2つ以上の断片を含む、方法。
【請求項２】
(i)前記プールが、(I)Rv0840c(SEQ ID NO:6)に由来する2つ以上の断片;(II)TBFG_13463(SEQ ID NO:1)に由来する2つ以上の断片;(III)Rv1677(SEQ ID NO:7)に由来する2つ以上の断片; (IV)Rv3845(SEQ ID NO:4)に由来する2つ以上の断片; もしくは(V)Rv2654c(SEQ ID NO:3)に由来する2つ以上の断片を含む、および/または
(ii)前記プールが、Rv0840c(SEQ ID NO:6)に由来する2つ以上の断片を含む、
請求項1記載の方法。
【請求項３】
M.tuberculosisタンパク質に由来する断片の2つ以上のプールに対する免疫応答をインビトロで検出する工程を含み、各プールが、Rv0840c(SEQ ID NO:6)、TBFG_13463(SEQ ID NO:1)、Mtub2_17866(SEQ ID NO:2)、Rv2654c(SEQ ID NO:3)、Rv3845(SEQ ID NO:4)、Rv1495(SEQ ID NO:5)、およびRv1677(SEQ ID NO:7)から選択される異なるタンパク質に由来する断片を含む、請求項1または2記載の方法。
【請求項４】
1種または複数種のさらなる結核菌タンパク質に対する免疫応答をインビトロで検出する工程をさらに含み、任意で、1種または複数種のさらなる結核菌タンパク質がRD1タンパク質を含み、かつ任意で、RD1タンパク質がCFP-10またはESAT-6である、請求項1〜3のいずれか一項記載の方法。
【請求項５】
プールの中の断片が、断片が由来するタンパク質の配列の少なくとも80％をカバーするタンパク質断片ライブラリーを形成し、任意で、プールの中の断片が、断片が由来するタンパク質の配列全体をカバーするタンパク質断片ライブラリーを形成する、請求項1〜4のいずれか一項記載の方法。
【請求項６】
プールが、配列が重複する断片を含み、任意で、配列が11アミノ酸重複する、請求項5記載の方法。
【請求項７】
前記2つ以上の断片が15アミノ酸長である、請求項1〜6のいずれか一項記載の方法。
【請求項８】
断片の1つまたは複数が、断片が由来するタンパク質のT細胞エピトープまたはB細胞エピトープを含み、任意で、T細胞エピトープがCD4エピトープまたはCD8エピトープである、請求項1〜4のいずれか一項記載の方法。
【請求項９】
免疫応答がインビトロ細胞性免疫応答またはT細胞応答であり、任意で、T細胞応答がサイトカイン分泌またはT細胞増殖であり、かつ任意で、サイトカイン分泌がインターフェロンガンマ(IFNγ)分泌である、請求項1〜8のいずれか一項記載の方法。
【請求項１０】
(i)免疫応答がB細胞応答であり、任意で、B細胞応答が抗体分泌またはB細胞増殖であるか、または
(ii)免疫応答が、請求項1記載の(a)〜(g)の1つまたは複数に対する抗体の産生である、
請求項1〜8のいずれか一項記載の方法。
【請求項１１】
(i)酵素結合免疫スポットアッセイ(ELISPOT)を含むか、または
(ii)患者から得られた免疫細胞集団を、請求項1記載の(a)〜(g)の1つまたは複数と接触させる工程を含む
請求項1〜10のいずれか一項記載の方法。
【請求項１２】
(I)方法が、請求項1記載の(a)〜(g)の2つ以上に対する免疫応答をインビトロで検出する工程を含み、同じ免疫細胞集団を(a)〜(g)の2つ以上と接触させる、および/または
(II)免疫細胞集団を、請求項4記載の1種または複数種のさらなる結核菌タンパク質とさらに接触させる、
請求項11(ii)記載の方法。
【請求項１３】
(I)方法が、請求項1記載の(a)〜(g)の2つ以上に対する免疫応答をインビトロで検出する工程を含み、(a)〜(g)の2つ以上のそれぞれを異なる免疫細胞集団と接触させる、および/または
(II)方法が、請求項4記載の1種または複数種のさらなる結核菌タンパク質に対する免疫応答をインビトロで検出する工程をさらに含み、さらなる結核菌タンパク質のそれぞれを異なる免疫細胞集団と接触させる、
請求項11(ii)記載の方法。
【請求項１４】
請求項4〜8のいずれか一項記載の断片の1つまたは複数を含み、任意で、免疫応答を検出するための手段を備える、対象において結核菌(M.tuberculosis)群感染を診断するためのキット。
【請求項１５】
対象における結核菌群感染の治療または予防において使用するための、請求項1記載の(a)〜(g)の1つまたは複数を含む、組成物。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
式I
【化１】
2017526748.tif 000001
(式中、
R1は、1個のAr1置換基で置換されており、さらにハロ、シアノ、アルキル、ハロアルキル、アルコキシ、ハロアルコキシ、及びアルケニルオキシから選択される0〜3個の置換基で置換されているフェニルであり;
R2は、水素又はアルキルであり;
R3は、アゼチジニル、ピロリジニル、ピペリジニル、ピペラジニル、モルホリニル、ホモピペリジニル、ホモピペラジニル、又はホモモルホリニルであり、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されているか;
あるいは、R3は、シクロアルキル、シクロアルケニル、フェニル、クロマニル、オキサジニル、又はジヒドロピラノキノリニルであり、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されており;
R4は、アルキル又はハロアルキルであり;
R5は、水素又はアルキルであり;
R6は、水素又はアルキルであり;
Ar1は、フェニル、ピリジニル、ピリダジニル、ピリミジニル、ピラジニル、ピロリル、フラニル、チエニル、ピラゾリル、イソキサゾリル、イソチアゾリル、イミダゾリル、オキサゾリル、チアゾリル、トリアゾリル、オキサジアゾリル、チアジアゾリル、又はテトラゾリルであり、ハロ、シアノ、アルキル、ハロアルキル、ベンジル、アルコキシ、ハロアルコキシ、アルケニルオキシ、及びベンジルオキシから選択される0〜3個の置換基で置換されている)
の化合物、又はその薬学的に許容される塩。
【請求項２】
R1が、1個のAr1置換基で置換されているフェニルであり;
R2が、水素であり;
R3が、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されているピペリジニルであるか;
あるいは、R3が、フェニル、クロマニル、又はジヒドロピラノキノリニルであり、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されており;
R4が、アルキルであり;
R5が、アルキルであり;
R6が、水素であり;
Ar1が、フェニル又はピラゾリルであり、ハロ、シアノ、アルキル、ハロアルキル、ベンジル、アルコキシ、ハロアルコキシ、アルケニルオキシ、及びベンジルオキシから選択される0〜3個の置換基で置換されている、請求項1に記載の化合物、又はその薬学的に許容される塩。
【請求項３】
R1が、1個のAr1置換基で置換されているフェニルである、請求項1に記載の化合物。
【請求項４】
R2が、水素であり、R4が、アルキルであり、R5が、アルキルであり、R6が、水素である、請求項1に記載の化合物。
【請求項５】
R3が、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されているピペリジニルである、請求項1に記載の化合物。
【請求項６】
R3が、フェニル、クロマニル、又はジヒドロピラノキノリニルであり、ハロ、アルキル、ハロアルキル、ヒドロキシアルキル、アルコキシアルキル、アルケニル、シクロアルキル、ヒドロキシ、アルコキシ、ハロアルコキシ、アルケニルオキシ、及びフェニルから選択される0〜3個の置換基で置換されている、請求項1に記載の化合物。
【請求項７】
Ar1が、フェニル、ピリジニル、ピリダジニル、ピリミジニル、又はピラジニルであり、ハロ、シアノ、アルキル、ハロアルキル、ベンジル、アルコキシ、ハロアルコキシ、アルケニルオキシ、及びベンジルオキシから選択される0〜3個の置換基で置換されている、請求項1に記載の化合物。
【請求項８】
Ar1が、ハロ、シアノ、アルキル、ハロアルキル、アルコキシ、ハロアルコキシ、アルケニルオキシ、及びベンジルオキシから選択される0〜3個の置換基で置換されているフェニルである、請求項1に記載の化合物。
【請求項９】
Ar1が、ピロリル、フラニル、チエニル、ピラゾリル、イソキサゾリル、イソチアゾリル、イミダゾリル、オキサゾリル、チアゾリル、トリアゾリル、オキサジアゾリル、チアジアゾリル、又はテトラゾリルであり、ハロ、シアノ、アルキル、ハロアルキル、ベンジル、アルコキシ、ハロアルコキシ、アルケニルオキシ、及びベンジルオキシから選択される0〜3個の置換基で置換されている、請求項1に記載の化合物。
【請求項１０】
Ar1が、ハロ、シアノ、アルキル、ハロアルキル、ベンジル、アルコキシ、ハロアルコキシ、アルケニルオキシ、及びベンジルオキシから選択される0〜3個の置換基で置換されているピラゾリルである、請求項1に記載の化合物。
【請求項１１】
治療量の請求項1に記載の化合物及び薬学的に許容される担体を含む、HIV感染を治療するために有用な組成物。
【請求項１２】
治療上有効な量の、ヌクレオシドHIV逆転写酵素阻害剤、非ヌクレオシドHIV逆転写酵素阻害剤、HIVプロテアーゼ阻害剤、HIV融合阻害剤、HIV付着阻害剤、CCR5阻害剤、CXCR4阻害剤、HIV発芽又は成熟阻害剤、及びHIVインテグラーゼ阻害剤からなる群から選択されるAIDS又はHIV感染の治療のために使用される少なくとも1つの他の薬剤、並びに薬学的に許容される担体をさらに含む、請求項11に記載の組成物。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
式
【化１】
2017526750.tif 000001
を有するスピロ[2.5]オクタン-5,7-ジオンを調製する方法であって、下記の工程の１つ以上を含む、前記方法：
−  式
【化２】
2017526750.tif 000002
を有するシクロプロピリデンカルボン酸アルキルエステルを式
【化３】
2017526750.tif 000003
を有するジアルキル1,3-アセトンジカルボキシレートで環化して、
式
【化４】
2017526750.tif 000004
を有する5,7-ジオキソ-スピロ[2.5]オクタン-4,6-ジカルボン酸ジアルキルエステルを形成する工程、ここで、Rは、独立して、C1-C6アルキルである、及び、
−  式
【化５】
2017526750.tif 000005
を有する5,7-ジオキソ-スピロ[2.5]オクタン-4,6-ジカルボン酸ジアルキルエステルをエステル加水分解および脱カルボキシル化して、スピロ[2.5]オクタン-5,7-ジオンを形成する工程、ここで、Rは、独立して、C1-C6アルキルである。
【請求項２】
式
【化６】
2017526750.tif 000006
を有するスピロ[3.5]ノナン-6,8-ジオンを調製する方法であって、下記の工程の１つ以上
を含む、前記方法：
−  式
【化７】
2017526750.tif 000007
を有するシクロブチリデンカルボン酸アルキルエステルを式
【化８】
2017526750.tif 000008
を有するジアルキル1,3-アセトンジカルボキシレートで環化して、式
【化９】
2017526750.tif 000009
を有する6,8-ジオキソ-スピロ[3.5]ノナン-5,7-ジカルボン酸ジアルキルエステルを形成する工程、ここで、Rは、独立して、C1-C6アルキルである、及び、
−  式
【化１０】
2017526750.tif 000010
を有する6,8-ジオキソ-スピロ[3.5]ノナン-5,7-ジカルボン酸ジアルキルエステルをエステル加水分解および脱カルボキシル化して、スピロ[3.5]ノナン-6,8-ジオンを形成する工程、ここで、Rは、独立して、C1-C6アルキルである。
【請求項３】
以下から選択される化合物、またはその互変異性体または塩：
【化１１】
2017526750.tif 000011
ここで、Rは、各々独立して、水素またはC1-C6アルキルである。
【請求項４】
以下から選択される化合物、またはその互変異性体または塩。
【化１２】
2017526750.tif 000012
【請求項５】
以下から選択される化合物、またはその互変異性体または塩：
【化１３】
2017526750.tif 000013
ここで、Rは、各々独立して、水素またはC1-C6アルキルである。
【請求項６】
以下から選択される化合物、またはその互変異性体または塩：
【化１４】
2017526750.tif 000014
ここで、Rは、各々独立して、水素またはC1-C6アルキルである。
【請求項７】
下記化合物、またはその互変異性体または塩：
【化１５】
2017526750.tif 000015
ここで、Rは、独立して、水素またはC1-C6アルキルである。
【請求項８】
下記化合物、またはその互変異性体または塩：
【化１６】
2017526750.tif 000016
ここで、Rは、独立して、水素またはC1-C6アルキルである。
【請求項９】
下記化合物、またはその互変異性体または塩。
【化１７】
2017526750.tif 000017
【請求項１０】
下記化合物、またはその互変異性体または塩。
【化１８】
2017526750.tif 000018
【請求項１１】
請求項３〜１０のいずれか１項に記載の化合物、またはその互変異性体または塩の、請求項１または２に記載の方法の中間体としての使用。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
式：
【化１】
2017526753.tif 000001
（Ｖ）
のポリマーであって、
式（Ｖ）において、
Ｒ１は、水素、アルキル（Ｃ≦１２）、シクロアルキル（Ｃ≦１２）、置換アルキル（Ｃ≦１２）、置換シクロアルキル（Ｃ≦１２）、または
【化２】
2017526753.tif 000002
或いは金属キレート基であり；
ｎは１〜５００の整数であり；
Ｒ２及びＲ２’は、それぞれ独立して、水素、アルキル（Ｃ≦１２）、シクロアルキル（Ｃ≦１２）、置換アルキル（Ｃ≦１２）、または置換シクロアルキル（Ｃ≦１２）から選択され；
Ｒ３は、式：
【化３】
2017526753.tif 000003
（ＩＩ）
の基であり、
式（ＩＩ）において、
ｎｘは１〜１０であり；
Ｘ１、Ｘ２、及びＸ３は、それぞれ独立して、水素、アルキル（Ｃ≦１２）、シクロアルキル（Ｃ≦１２）、置換アルキル（Ｃ≦１２）、または置換シクロアルキル（Ｃ≦１２）から選択され； 
Ｘ４はペンチル、ｎ−プロピル、またはエチルであり； 
Ｘ５はペンチルまたはｎ−プロピルであり；
ｘは１〜１００の整数であり；
Ｒ４は、式：
【化４】
2017526753.tif 000004
（ＩＶ）
の基であり、
式（ＩＶ）において、
Ｙ１、Ｙ２、及びＹ３は、それぞれ独立して、水素、アルキル（Ｃ≦１２）、シクロアルキル（Ｃ≦１２）、置換アルキル（Ｃ≦１２）、または置換シクロアルキル（Ｃ≦１２）から選択され；
Ｙ４は、水素、アルキル（Ｃ≦１２）、アシル（Ｃ≦１２）、置換アルキル（Ｃ≦１２）、置換アシル（Ｃ≦１２）、色素、または蛍光消光剤であり；そして
ｙは１〜６の整数であり；そして
Ｒ５は、水素、ハロ、ヒドロキシ、アルキル（Ｃ≦１２）、または置換アルキル（Ｃ≦１２）である、ポリマー。
【請求項２】
Ｙ４が蛍光色素である請求項１に記載のポリマー。
【請求項３】
前記蛍光色素が、インドシアニングリーンである請求項２に記載のポリマー。
【請求項４】
Ｒ１はアルキル（Ｃ≦１２）である請求項１に記載のポリマー。
【請求項５】
Ｒ２及びＲ２’は、それぞれアルキル（Ｃ≦１２）である請求項１に記載のポリマー。
【請求項６】
Ｒ３は
【化５】
2017526753.tif 000005
である請求項１に記載のポリマー。
【請求項７】
Ｘ４及びＸ５は、それぞれペンチルである請求項６に記載のポリマー。
【請求項８】
Ｘ４及びＸ５は、それぞれｎ−プロピルである請求項６に記載のポリマー。
【請求項９】
Ｘ４はエチルであり、Ｘ５はｎ−プロピルである請求項６に記載のポリマー。
【請求項１０】
前記ポリマーが、ＰＥＯ１１４−Ｐ（Ｄ５Ａ８０）、ＰＥＯ１１４−Ｐ（Ｄ５Ａ１００）、ＰＥＯ１１４−Ｐ（ＤＰＡ８０）、ＰＥＯ１１４−Ｐ（ＤＰＡ１００）、ＰＥＯ１１４−Ｐ（ＥＰＡ８０）及びＰＥＯ１１４−Ｐ（ＥＰＡ１００）である請求項１に記載のポリマー。
【請求項１１】
前記ポリマーが、ＰＥＯ１１４−Ｐ（ＥＰＡ４０−ｒ−ＩＣＧ１）、ＰＥＯ１１４−Ｐ（ＥＰＡ６０−ｒ−ＩＣＧ１）、ＰＥＯ１１４−Ｐ（ＥＰＡ８０−ｒ−ＩＣＧ１）、またはＰＥＯ１１４−Ｐ（ＥＰＡ１００−ｒ−ＩＣＧ１）である請求項１に記載のポリマー。
【請求項１２】
式：
【化６】
2017526753.tif 000006
のポリマーであって、
上式において、
ｘが３０〜１５０の整数であり、ｙが１または２の整数であり；ｘ及びｙが当該ポリマー全域にランダムに分布し；そしてＩＣＧが蛍光色素インドシアニングリーンである、ポリマー。
【請求項１３】
式：
【化７】
2017526753.tif 000007
のポリマーであって、
上式において、
ｘが４０〜１２０の整数であり、ｙが１、２または３の整数であり；Ｙ４が蛍光色素インドシアニングリーンである、ポリマー。
【請求項１４】
前記ポリマーが、ＰＥＯ１１４−Ｐ（Ｃ７Ａ４０−ｒ−ＩＣＧ３）、ＰＥＯ１１４−Ｐ（Ｃ７Ａ６０−ｒ−ＩＣＧ３）、ＰＥＯ１１４−Ｐ（Ｃ７Ａ８０−ｒ−ＩＣＧ３）、ＰＥＯ１１４−Ｐ（Ｃ７Ａ１００−ｒ−ＩＣＧ３）、またはＰＥＯ１１４−Ｐ（Ｃ７Ａ１２０−ｒ−ＩＣＧ３）である請求項１３に記載のポリマー。
【請求項１５】
請求項１〜１４のいずれか１項に記載の１種以上のブロックコポリマーを含むミセル。
【請求項１６】
請求項１５に記載のミセルを含むｐＨ応答性組成物であって、Ｙ４が色素であり、ミセルがｐＨ転移点及び発光スペクトルを有する、ｐＨ応答性組成物。
【請求項１７】
（ａ）請求項１６のｐＨ応答性組成物を細胞内または細胞外の環境と接触させる工程、
（ｂ）細胞内または細胞外の環境からの１つ以上の光シグナルを検知する工程であって、その光シグナルの検知が、ミセルがそのｐＨ転移点に到達し、解離したことを示す、工程、を含む細胞内または細胞外の環境のｐＨをイメージングする方法における使用のための、請求項１６に記載のｐＨ応答性組成物。
【請求項１８】
細胞内の環境は細胞の一部である請求項１７に記載のｐＨ応答性組成物。
【請求項１９】
細胞外の環境が腫瘍または血管細胞である請求項１７に記載のｐＨ応答性組成物。
【請求項２０】
（ａ）請求項１６に記載のｐＨ応答性組成物を有効量で患者に投与する工程；  
（ｂ）患者の１つ以上の光シグナルを検知する工程であって、その光シグナルは腫瘍の存在を示す、工程；及び
（ｃ）腫瘍を手術により切除する工程、を含む患者の腫瘍を切除する方法における使用のための、請求項１６に記載のｐＨ応答性組成物。
【請求項２１】
前記腫瘍が、がんによるものであり、前記がんが、乳がん、頭頸部がん、または結腸直腸の腹膜転移である請求項１６に記載のｐＨ応答性組成物。
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
式（ＸＩＸ）により表される化合物またはその薬学的に許容可能な塩：
【化１】
2017526711.tif 000001
［式中、
Ａ１はＣＨであり、Ａ２はＯであり、かつ、Ａ３はＮであるか；またはＡ１はＣＨであり、Ａ２はＮであり、かつ、Ａ３はＯであるか；またはＡ１はＣＨであり、Ａ２はＮであり、かつ、Ａ３はＮＲ１５であり；
Ｚ１、Ｚ２、Ｚ３、およびＺ４はそれぞれ独立に、Ｎ、ＣＨ、またはＣＲ６であり；Ｚ１、Ｚ２、Ｚ３、およびＺ４のうちの０、１つ、または２つがＮであり、かつ、Ｚ１、Ｚ２、Ｚ３、およびＺ４のうちの０、１つ、または２つがＣＲ６であり；
Ｒ２は水素、（Ｃ１−Ｃ４）アルキル、または（Ｃ１−Ｃ４）アルコキシであり；
Ｒ３は水素、ヒドロキシル、（Ｃ１−Ｃ４）アルコキシ、または（Ｃ３−Ｃ６）シクロアルコキシであり；
Ｒ５は水素、ヒドロキシル、（Ｃ１−Ｃ４）アルコキシ、または（Ｃ３−Ｃ６）シクロアルコキシであり；
各Ｒ６はフッ素、塩素、メチル、エチル、ジフルオロメチル、シクロプロピル、メトキシ、イソプロポキシ、およびジメチルアミノ−からなる群から独立に選択され；
Ｒ１４は、（Ｃ１−Ｃ４）アルキルまたはハロ（Ｃ１−Ｃ４）アルキルであり；
Ｒ１５は、水素、メチル、エチル、またはフェニルである］。
【請求項２】
Ａ１がＣＨであり、Ａ２がＯであり、かつ、Ａ３がＮである、請求項１に記載の化合物または薬学的に許容可能な塩。
【請求項３】
Ｚ１、Ｚ２、Ｚ３、およびＺ４のうち２つがＮであり、かつ、他の２つがそれぞれ独立にＣＨまたはＣＲ６である、請求項１または２に記載の化合物または薬学的に許容可能な塩。
【請求項４】
Ｒ２が水素である、請求項１〜３のいずれか一項に記載の化合物または薬学的に許容可能な塩。
【請求項５】
Ｒ３が水素または（Ｃ１−Ｃ４）アルコキシである、請求項１〜４のいずれか一項に記載の化合物または薬学的に許容可能な塩。
【請求項６】
Ｒ５が水素または（Ｃ１−Ｃ４）アルコキシである、請求項１〜５のいずれか一項に記載の化合物または薬学的に許容可能な塩。
【請求項７】
Ａ１がＣＨであり、Ａ２がＯであり、かつ、Ａ３がＮであり；
Ｚ１、Ｚ２、Ｚ３、およびＺ４のうち２つがＮであり、かつ、他の２つがそれぞれ独立にＣＨまたはＣＲ６であり；
Ｒ２が水素であり；
Ｒ３が水素または（Ｃ１−Ｃ４）アルコキシであり；
Ｒ５が水素または（Ｃ１−Ｃ４）アルコキシであり；
各Ｒ６がフッ素、塩素、メチル、エチル、ジフルオロメチル、シクロプロピル、メトキシ、イソプロポキシ、およびジメチルアミノ−からなる群から独立に選択され；
Ｒ１４が、（Ｃ１−Ｃ４）アルキルまたはハロ（Ｃ１−Ｃ４）アルキルである、請求項１に記載の化合物または薬学的に許容可能な塩。
【請求項８】
１−（４−（５−エトキシ−６−オキソ−１，６−ジヒドロピリジン−３−イル）−２−フルオロフェニル）−３−（５−（１，１，１−トリフルオロ−２−メチルプロパン−２−イル）イソキサゾール−３−イル）尿素；
１−（２−（５−エトキシ−６−オキソ−１，６−ジヒドロピリジン−３−イル）−４−メチルピリミジン−５−イル）−３−（５−（１，１，１−トリフルオロ−２−メチルプロパン−２−イル）イソキサゾール−３−イル）尿素；
１−（５−（５−エトキシ−６−オキソ−１，６−ジヒドロピリジン−３−イル）−３−メチルピラジン−２−イル）−３−（５−（１，１，１−トリフルオロ−２−メチルプロパン−２−イル）イソキサゾール−３−イル）尿素；
１−（２−（４−エトキシ−６−オキソ−１，６−ジヒドロピリジン−３−イル）−４−メチルピリミジン−５−イル）−３−（５−（１，１，１−トリフルオロ−２−メチルプロパン−２−イル）イソキサゾール−３−イル）尿素；
１−（３−（ｔｅｒｔ−ブチル）−１−フェニル−１Ｈ−ピラゾール−５−イル）−３−（４−（６−オキソ−１，６−ジヒドロピリジン−３−イル）フェニル）尿素；
１−（２−（４−エトキシ−６−オキソ−１，６−ジヒドロピリジン−３−イル）ピリミジン−５−イル）−３−（５−（１，１，１−トリフルオロ−２−メチルプロパン−２−イル）イソキサゾール−３−イル）尿素；または
１−（２−（５−エトキシ−６−オキソ−１，６−ジヒドロピリジン−３−イル）ピリミジン−５−イル）−３−（５−（１，１，１−トリフルオロ−２−メチルプロパン−２−イル）イソキサゾール−３−イル）尿素
である、請求項１に記載の化合物、またはその薬学的に許容可能な塩。
【請求項９】
【化２】
2017526711.tif 000002
である、請求項１に記載の化合物、またはその薬学的に許容可能な塩。
【請求項１０】
【化３】
2017526711.tif 000003
である、請求項１に記載の化合物。
【請求項１１】
結晶形態である、請求項１０に記載の化合物。
【請求項１２】
結晶形が、Ｃｕ  Ｋα線を用いて測定した場合に、約２．２、４．９、５．５、５．７、１１．８、１１．９、１２．８、１２．９、１３．１、１４．３、１６．１、１６．６、１７．１、１７．２、２１．２、２１．３、２１．９、２２．０、２２．７、２２．８、２３．１、２５．３、および２５．４°２θからなる群から選択される少なくとも３つの回折角を含んでなるＸ線粉末回折（ＸＲＰＤ）パターンを特徴とする、請求項１１に記載の化合物。
【請求項１３】
結晶形が、Ｃｕ  Ｋα線を用いて測定した場合に、約５．７、１１．９、１２．９、１４．３、１６．１、および２３．１°２θの回折角を含んでなるＸ線粉末回折（ＸＲＰＤ）パターンを特徴とする、請求項１１に記載の化合物。
【請求項１４】
請求項１〜１３のいずれか一項に記載の化合物または薬学的に許容可能な塩と、薬学的に許容可能な賦形剤とを含んでなる、医薬組成物。
【請求項１５】
ＲＥＴキナーゼにより媒介される疾患の治療のための、請求項１４に記載の医薬組成物。
【請求項１６】
ＲＥＴキナーゼにより媒介される疾患が、過敏性腸症候群、過敏性腸症候群に関連する疼痛、機能性便秘、機能性下痢、慢性特発性便秘、機能性腹痛症候群、機能性肛門直腸痛、および炎症性腸疾患からなる群から選択される、請求項１５に記載の医薬組成物。
【請求項１７】
ＲＥＴキナーゼにより媒介される疾患が過敏性腸症候群である、請求項１５に記載の医薬組成物。
【請求項１８】
ＲＥＴキナーゼにより媒介される疾患が過敏性腸症候群に関連する疼痛である、請求項１５に記載の医薬組成物。
【誤訳訂正書】
【提出日】平成30年8月31日(2018.8.31)
【誤訳訂正１】
【訂正対象書類名】明細書
【訂正対象項目名】００５７
【訂正方法】変更
【訂正の内容】
【００５７】
いくつかの実施形態において、関節炎の影響を受ける部位、または変形性関節症の影響を受ける部位としては、膝関節、股関節、手関節、肩関節、足首関節、足関節、肘関節、手首関節、仙腸関節、脊椎関節、またはこれらの組み合わせが挙げられる。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
炎症介在性状態の治療に使用するための医薬であって、レボセチリジンとモンテルカストの組合せ物を含む医薬。
【請求項２】
NFκB介在性状態の治療に使用するための医薬であって、レボセチリジンとモンテルカストの組合せ物を含む医薬。
【請求項３】
状態が神経疾患である、請求項1又は2に記載の医薬。
【請求項４】
状態が、アルツハイマー病、認知症、レビー小体型認知症、パーキンソン病、筋萎縮性側索硬化症、前頭側頭型認知症、及びハンチントン病からなる群から選択される、請求項1又は2に記載の医薬。
【請求項５】
状態がウイルス感染症によって引き起こされる、請求項1又は2に記載の医薬。
【請求項６】
状態が、エボラウイルス、西ナイルウイルス、黄熱病ウイルス、デングウイルス、ダニ媒介性脳炎ウイルス、及びHIVからなる群から選択されるウイルスによって引き起こされる、請求項1又は2に記載の医薬。
【請求項７】
レボセチリジンとモンテルカストの組合せ物が逐次的に用いられる、請求項1から6のいずれか一項に記載の医薬。
【請求項８】
レボセチリジンとモンテルカストの組合せ物が実質的に同時に用いられる、請求項1から6のいずれか一項に記載の医薬。
【請求項９】
レボセチリジンとモンテルカストが、経腸、静脈内、腹腔内、吸入、筋肉内、皮下、及び経口から選ばれる送達経路を介して使用するために独立して処方される、請求項1から8のいずれか一項に記載の医薬。
【請求項１０】
レボセチリジン及びモンテルカストが同じ経路によって使用するために処方される、請求項1から9のいずれか一項に記載の医薬。
【請求項１１】
レボセチリジン及びモンテルカストが異なる経路を介して使用するために処方される、請求項1から9のいずれか一項に記載の医薬。
【請求項１２】
レボセチリジン及びモンテルカストのうちの1つ又は複数が徐放性組成物として処方される、請求項1から11のいずれか一項に記載の医薬。
【請求項１３】
組合せ物が、列挙した状態のうちの1つの治療における使用が公知の他の薬剤を更に含む、請求項1から12のいずれか一項に記載の医薬。
【請求項１４】
組合せ物が、ステロイドを更に含む、請求項1から13のいずれか一項に記載の医薬。
【請求項１５】
アルツハイマー病、認知症、レビー小体型認知症、パーキンソン病、筋萎縮性側索硬化症、前頭側頭型認知症、及びハンチントン病からなる群から選択される状態の治療に使用するための医薬であって、レボセチリジンとモンテルカストの組合せ物を含む医薬。
【請求項１６】
エボラウイルス、黄熱病ウイルス、西ナイルウイルス、デングウイルス、ダニ媒介性脳炎、及びHIVからなる群から選択される状態の治療に使用するための医薬であって、レボセチリジンとモンテルカストの組合せ物を含む医薬。
【請求項１７】
ウイルス感染症の治療における使用のためのレボセチリジンとモンテルカストの組合せ物。
【請求項１８】
ウイルス感染症が、エボラウイルス、黄熱病ウイルス、西ナイルウイルス、デングウイルス、ダニ媒介性脳炎、又はHIVから選択される、請求項17に記載の組合せ物。
【請求項１９】
神経変性疾患の治療における使用のためのレボセチリジンとモンテルカストの組合せ物。
【請求項２０】
神経変性疾患が、アルツハイマー病、認知症、レビー小体型認知症、パーキンソン病、筋萎縮性側索硬化症、前頭側頭型認知症、又はハンチントン病から選択される、請求項19に記載の組合せ物。
【請求項２１】
炎症介在性状態、ウイルス感染症、又は神経変性疾患の治療のための医薬品の製造のためのレボセチリジンとモンテルカストの組合せ物の使用。
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
硬化性被覆組成物を形成するための組成物キットを作製するための方法であって、
ａ．第１組成物を混合するステップであって、前記第１組成物が、組成物キットの乾燥重量で、２％から５５％の充填剤、組成物キットの乾燥重量で、５％から２０％の架橋剤、及び、組成物キットの乾燥重量で、６％から４２％の放射率剤を含む、ステップと、
ｂ．第２組成物を混合するステップであって、前記第２組成物が、組成物キットの乾燥重量で、２０％から６５％の金属ケイ酸塩バインダを含み、金属ケイ酸塩バインダの金属が、アルカリ土類金属（ａｌｋａｌｉ  ｅａｒｔｈ  ｍｅｔａｌ）又はアルカリ土類金属（ａｌｋａｌｉｎｅ  ｅａｒｔｈ  ｍｅｔａｌ）の内の一つである、ステップと、
を含み、
第１組成物と第２組成物とが、分離されており、
ｉ）充填剤が、１％から１８％のタルク、１％から１５％の焼成カオリン、０％から１０％の酸化アルミニウム、及び０％から１２％の石英を含み；
ｉｉ）架橋剤が、５％から２０％の、水酸化マグネシウム及び酸化マグネシウムの内の一以上を含み；
ｉｉｉ）放射率剤が、１％から１２％の、酸化ホウ素、炭化ケイ素及び酸化セリウムの内の一以上；並びに、５％から３０％の二酸化チタンを含み；
ｉｖ）金属ケイ酸塩バインダが、２０％から６５％のケイ酸カリウムを含む、方法。
【請求項２】
充填剤が、５０マイクロメートル以下の平均粒子サイズを有する、請求項１に記載の方法。
【請求項３】
架橋剤が、酸化亜鉛をさらに含む、請求項１に記載の方法。
【請求項４】
放射率剤が、酸化ガリウム、酸化ジルコニウム、六ホウ化ケイ素、四ホウ化炭素、四ホウ化ケイ素、二ケイ化モリブデン、二ケイ化タングステン、二ホウ化ジルコニウム、酸化亜鉛、第二銅クロマイト、二酸化ケイ素、酸化マンガン、酸化クロム、酸化鉄、炭化ホウ素、ケイ化ホウ素、銅クロム酸化物、窒化アルミニウム、窒化ホウ素、アルミナ及び酸化マグネシウムの内の一以上をさらに含む、請求項１に記載の方法。
【請求項５】
金属ケイ酸塩バインダが、ケイ酸ナトリウム、ケイ酸リチウム、ケイ酸カルシウム及びマグネシウムアルミニウムケイ酸塩の内の一以上をさらに含む、請求項１に記載の方法。
【請求項６】
第１組成物及び第２組成物の内の少なくとも一つが、安定剤、乳化剤及び消泡剤の内の一以上をさらに含む、請求項１に記載の方法。
【請求項７】
第１組成物及び第２組成物の内の少なくとも一つへの水の追加と、ウェット混和剤を形成するために水を混合するステップとをさらに含む、請求項１に記載の方法。
【請求項８】
水が第１組成物及び第２組成物へ追加され、第１組成物が、３０％から５５％の総固形分範囲を有し、第２組成物が、２０％から５０％の総固形分範囲を有する、請求項７に記載の方法。
【請求項９】
硬化性被覆組成物を形成するために第１組成物及び第２組成物を一緒に混合するステップと；
被覆表面を形成するために基板へ硬化性被覆組成物を適用するステップと；
熱によって硬化性被覆組成物を乾燥させるステップと、をさらに含む、請求項１に記載の方法。
【請求項１０】
前記充填剤が、マイカ、珪灰石、方解石、ジルコニア、ジルコン、雲母状酸化鉄、酸化鉄、ケイ酸アルミニウム、硫酸バリウム、及びリトポンの内の一以上をさらに含む、請求項１に記載の方法。
【手続補正書】
【提出日】平成30年8月8日(2018.8.8)
【手続補正１】
【補正対象書類名】明細書
【補正対象項目名】００４８
【補正方法】変更
【補正の内容】
【００４８】
［実施例３］分子量が１、０００の高反応性ポリブテンの重合
冷却装置付きのステンレス圧力反応器（ポリブテン重合反応器）に、下記表７に示すような組成の反応原料（Ｃ４混合物）および前記反応原料１００重量部に対して０．１９重量部であるイソプロピルアルコール／三フッ化ホウ素錯体触媒（１．５モル）を連続的に注入した。反応温度は−１８℃、反応圧力は原料が液状を維持するように３ｋｇ／ｃｍ２以上に維持し、平均滞留時間は３０分となるようにした。１８０分が経過した後から、反応物は５重量％の苛性ソーダ溶液で処理される中和槽および液相分離原理を利用して水で水洗する水洗槽を経た後、次いで、反応物を１６０℃の温度および常圧条件のＣ４蒸留塔に移送させて未反応Ｃ４を除去し、除去された未反応Ｃ４のうち一部は重合反応器の入口に再循環させて下記表７のイソブテンの濃度となるようにし、残りは異性化反応器（カラム）に投入した。反面、Ｃ４蒸留塔の下部を介して排出する反応物は、２２０℃の温度および５ｍｍＨｇ条件のＬＰ蒸留塔に移送された後、ＬＰはＬＰ蒸留塔の上部を介して除去し、ポリブテンはＬＰ蒸留塔の下部を通して得た。製造されたポリブテンの分子量をＧＰＣ（Ｇｅｌ  ｐｅｒｍｅａｔｉｏｎ  ｃｈｒｏｍａｔｏｇｒａｐｈｙ）で測定し、Ｃ１３−ＮＭＲを利用して分析した結果を下記表８に示し、イソブテン転換率は９５％、ビニリデン含有量は９０モル％であった（Ｍｎ=９７０、ＰＤ=１．３２）。なお、下記表８のポリブテンの生成量は、原料１ｋｇを処理して得られたものである。